(57)【要約】【課題】  遊技音声を再生するのみならず、遊技音声を再生する振動板の振動を直接に遊技者に伝える遊技機用スピーカーを、遊技者が操作する遊技機の操作部に設けることができるようにする。【解決手段】  遊技機用スピーカーは、振動して音波を放射する振動板と、振動板の外径端を振動可能に支持するエッジと、振動板の内径端に取り付けられるボイスコイルと、ボイスコイルのコイルが配置される磁気空隙を有する磁気回路と、ボイスコイルのボビンを振動可能に支持するダンパーと、エッジの外径端とダンパーの外径端と磁気回路とが固定されて遊技機の固定取付部に取り付けられる被取付部を含むフレームと、を備え、振動板が、略コーン形状の第１振動板部材と、第１振動板の凹面側に取り付けられてエッジよりも前面側に突出することで遊技者の手が接触可能に配置される被接触部を形成する第２振動板部材と、を含む。【選択図】  図１
2019005303.tif 000002
【特許請求の範囲】
【請求項１】
振動して音波を放射する振動板と、該振動板の外径端を振動可能に支持するエッジと、該振動板の内径端に取り付けられるボイスコイルと、該ボイスコイルのコイルが配置される磁気空隙を有する磁気回路と、該ボイスコイルのボビンを振動可能に支持するダンパーと、該エッジの外径端と該ダンパーの外径端と該磁気回路とが固定されて遊技機の固定取付部に取り付けられる被取付部を含むフレームと、を備える動電型の遊技機用スピーカーであって、
該振動板が、略コーン形状の第１振動板部材と、該第１振動板の凹面側に取り付けられて該エッジよりも前面側に突出することで遊技者の手が接触可能に配置される被接触部を形成する第２振動板部材と、を含む、
遊技機用スピーカー。
【請求項２】
前記フレームが、前記振動板の前記第２振動板部材の前記被接触部の外周側周囲に、該被接触面を仮想的に外周方向に延長した面を含むように突出して形成されて振動しない環状保護部をさらに有する、
請求項１に記載の遊技機用スピーカー。
【請求項３】
前記振動板の前記第２振動板部材が、透光性の樹脂材料で形成され、
前記フレームが、前記第１振動板部材と該第２振動板部材とが囲むように規定する内部空間に、発光素子を該振動板に接触しないように配置する発光素子取付部をさらに有する、
請求項１または２に記載の遊技機用スピーカー。
【請求項４】
請求項１から３のいずれかに記載の遊技機用スピーカーを備える遊技機であって、前記フレームの前記被取付部が取り付けられる前記固定取付部が、遊技者が操作する操作部に設けられて、前記第２振動板部材の前記被接触部が、該遊技者の手に対して接触可能に配置される、
遊技機。
【請求項５】
請求項２または３に記載の遊技機用スピーカーを備える遊技機であって、前記フレームの前記被取付部が取り付けられる前記固定取付部が、遊技者が操作する操作部に設けられて、前記第２振動板部材の前記被接触部と前記環状保護部とが、ともに該遊技者の手に対して接触可能に配置される、
遊技機。
【請求項６】
請求項３に記載の遊技機用スピーカーと、発光素子と、を備える遊技機であって、該遊技機の制御部が該発光素子を発光させて遊技者が前記第２振動板部材を透過した光を認知できるように制御し、前記フレームの前記被取付部が取り付けられる前記固定取付部が、遊技者が操作する操作部に設けられる、
遊技機。
【発明の詳細な説明】
【技術分野】
【０００１】
本発明は、遊技機の効果音、報知音等を含む遊技音声を再生する遊技機用スピーカーおよびこれを用いる遊技機に関し、特に、遊技者が操作する遊技機の操作部に設けて、遊技音声を再生するのみならず、音声を再生する振動板の振動を遊技者に伝える遊技機用スピーカーと、これを用いる遊技機に関する。
【背景技術】
【０００２】
パチンコ機、スロットマシン、あるいは、アーケードゲーム機、等の遊技機では、遊技者に対して遊技の演出効果を高める音声、あるいは、各種の告知音、警告音、等の音声を再生するスピーカーが取り付けられている。遊技機においてスピーカーが取り付けられる位置は様々である。スピーカーの振動板を含む振動系は、電気音響変換効率の観点から基本的に極めて軽量な部材で形成されているので、遊技者が接触すると容易に破壊されることになる。したがって、一般的には、遊技者がスピーカーの振動板に触れることができないような位置に取り付けるか、スピーカーの前面側にカバー、あるいは、前面パネルを設けて、遊技者が直接にスピーカーの振動板に触れることができないようにすることが多い。
【０００３】
一方で、従来には、振動部材を用いて遊技時の演出効果を高める工夫を凝らした遊技機がある。例えば、従来には、電気的な報知または演出が可能な複数の電気的エレメント（スピーカー、振動発生器、発光表示部材）を遊技者が操作する操作ノブ内部に設け、これらに音声の発生と振動の発生と表示を行わせるものがある（特許文献１）。この場合には、遊技機の操作部において、音声を再生するスピーカーとは別の振動発生器が設けられている。
【０００４】
また、従来には、操作部に電気的振動手段としての電気−音響変換手段と、電気−音響変換手段の音響出力に応じて機械的に振動するように電気−音響変換手段に固着して操作手段の近傍に配設された振動部材とを備えたことを特徴とする遊技機がある（特許文献２）。また、従来には、パチンコ遊戯機において当たりフラグに当選時、スピーカーにより発生する振動を人間の触覚に訴え当選を告知する事が出来る音振動式当選告知装置がある（特許文献３）。これらの場合には、音声を再生するスピーカーが、遊技者へ伝える振動を発生させる加振器として兼用されている。
【０００５】
ただし、従来の遊技機のスピーカーでは、不正行為を防止する観点を含めて、遊技者が直接にスピーカーの振動板に触れることができないようにすることが多い。上記の特許文献１〜３においては、振動板を含むスピーカーの構造が具体的にどの様になるか不明なところがあるものの、遊技者が直接にスピーカーの振動板に触れることができないように意図されていることは明らかである。
【先行技術文献】
【特許文献】
【０００６】
【特許文献１】特開平９−９９１３７号公報
【特許文献２】特開２００１−２５９１３４号公報
【特許文献３】特開２００２−２８３０１号公報
【０００７】
つまり、遊技機のスピーカーの振動板が、遊技者によって直接に触れられるような構造となるようなスピーカーを採用する遊技機は、従来にはほぼ存在しない。ただし、遊技者が操作する遊技機の操作部において、音声を再生するスピーカーの振動板に直接に遊技者が触れられるようになれば、従来よりも遊技時の演出効果を高めることができると期待される。
【発明の概要】
【発明が解決しようとする課題】
【０００８】
本発明の目的は、遊技音声を再生するのみならず、遊技音声を再生する振動板の振動を直接に遊技者に伝える遊技機用スピーカーを、遊技者が操作する遊技機の操作部に設けることができるようにすることにある。
【課題を解決するための手段】
【０００９】
本発明の遊技機用スピーカーは、振動して音波を放射する振動板と、振動板の外径端を振動可能に支持するエッジと、振動板の内径端に取り付けられるボイスコイルと、ボイスコイルのコイルが配置される磁気空隙を有する磁気回路と、ボイスコイルのボビンを振動可能に支持するダンパーと、エッジの外径端とダンパーの外径端と磁気回路とが固定されて遊技機の固定取付部に取り付けられる被取付部を含むフレームと、を備える動電型の遊技機用スピーカーであって、振動板が、略コーン形状の第１振動板部材と、第１振動板の凹面側に取り付けられてエッジよりも前面側に突出することで遊技者の手が接触可能に配置される被接触部を形成する第２振動板部材と、を含む。
【００１０】
好ましくは、本発明の遊技機用スピーカーは、フレームが、振動板の第２振動板部材の被接触部の外周側周囲に、被接触面を仮想的に外周方向に延長した面を含むように突出して形成されて振動しない環状保護部をさらに有する。
【００１１】
また、好ましくは、本発明の遊技機用スピーカーは、振動板の第２振動板部材が、透光性の樹脂材料で形成され、フレームが、第１振動板部材と第２振動板部材とが囲むように規定する内部空間に、発光素子を振動板に接触しないように配置する発光素子取付部をさらに有する。
【００１２】
好ましくは、本発明の遊技機は、上記のいずれかに記載の遊技機用スピーカーを備える遊技機であって、フレームの被取付部が取り付けられる固定取付部が、遊技者が操作する操作部に設けられて、第２振動板部材の被接触部が、遊技者の手に対して接触可能に配置される。
【００１３】
また、好ましくは、本発明の遊技機は、上記の遊技機用スピーカーを備える遊技機であって、フレームの被取付部が取り付けられる固定取付部が、遊技者が操作する操作部に設けられて、第２振動板部材の被接触部と環状保護部とが、ともに遊技者の手に対して接触可能に配置される。
【００１４】
また、好ましくは、本発明の遊技機は、上記の遊技機用スピーカーと、発光素子と、を備える遊技機であって、遊技機の制御部が発光素子を発光させて遊技者が第２振動板部材を透過した光を認知できるように制御し、フレームの被取付部が取り付けられる固定取付部が、遊技者が操作する操作部に設けられる。
【００１５】
以下、本発明の作用について説明する。
【００１６】
本発明の遊技機用スピーカーは、振動して音波を放射する振動板と、振動板の外径端を振動可能に支持するエッジと、振動板の内径端に取り付けられるボイスコイルと、ボイスコイルのコイルが配置される磁気空隙を有する磁気回路と、ボイスコイルのボビンを振動可能に支持するダンパーと、エッジの外径端とダンパーの外径端と磁気回路とが固定されて遊技機の固定取付部に取り付けられる被取付部を含むフレームと、を備える動電型の遊技機用スピーカーである。したがって、この遊技機用スピーカーのフレームの被取付部を取り付ける遊技機の固定取付部が、遊技者が操作する操作部に設けられる場合には、遊技者の近くで遊技音声を再生することができる。
【００１７】
ここで、遊技機用スピーカーの振動板は、略コーン形状の第１振動板部材と、第１振動板の凹面側に取り付けられてエッジよりも前面側に突出することで遊技者の手が接触可能に配置される被接触部を形成する第２振動板部材と、を含む。第２振動板部材は、振動して音波を放射する振動板を構成するとともに、エッジよりも前面側に突出して遊技者の手が接触可能に配置される被接触部を形成する。したがって、この遊技機用スピーカーを備える遊技機は、遊技音声を再生するのみならず、遊技音声を再生する振動板の振動を直接に遊技者に伝えることができる。
【００１８】
遊技機用スピーカーは、好ましくは、フレームが、振動板の第２振動板部材の被接触部の外周側周囲に、被接触面を仮想的に外周方向に延長した面を含むように突出して形成されて振動しない環状保護部をさらに有する。遊技機用スピーカーが操作部に取り付けられると、第２振動板部材の被接触部と環状保護部とが、ともに遊技者の手に対して接触可能に配置される。環状保護部を設けることで、遊技機用スピーカーの被接触部を含む振動板に側面側から力が加わることを防いで、遊技機用スピーカーが破壊されないように保護することができる。なお、この環状保護部は、遊技機用スピーカーのフレームに設けるのではなく、固定取付部を備える遊技機の筐体に設けてもよい。
【００１９】
また、遊技機用スピーカーは、振動板の第２振動板部材が、透光性の樹脂材料で形成され、フレームが、第１振動板部材と第２振動板部材とが囲むように規定する内部空間に、発光素子を振動板に接触しないように配置する発光素子取付部をさらに有するようにしてもよい。この遊技機用スピーカーと、発光素子と、を備える遊技機では、遊技機の制御部が発光素子を発光させて遊技者が第２振動板部材を透過した光を認知できるように制御し、フレームの被取付部が取り付けられる固定取付部が、遊技者が操作する操作部に設けられる。したがって、第２振動板を強固な樹脂材料で形成して、遊技者が直接に触れるスピーカーの振動板を破壊されにくくするとともに、遊技者が発光素子からの光を点滅させて、遊技機における演出効果を高めることができる。
【発明の効果】
【００２０】
遊技音声を再生するのみならず、遊技音声を再生する振動板の振動を直接に遊技者に伝える遊技機用スピーカーを、遊技者が操作する遊技機の操作部に設けることができる。
【図面の簡単な説明】
【００２１】
【図１】本発明の好ましい実施形態による遊技機用スピーカー１を説明する断面図である。（実施例１）
【図２】本発明の好ましい実施形態によるスロットマシン２０を説明する正面図および側面図（一部断面図）である。（実施例１）
【実施例１】
【００２２】
図１は、本発明の好ましい実施形態による遊技機用スピーカー１を説明する断面図である。また、図２は、遊技機用スピーカー１を左右のスピーカー１Ｌおよび１Ｒとして取り付けた遊技機であるスロットマシン２０を説明する図である。具体的には、図１では、遊技機用スピーカー１がスロットマシン２０の操作部を構成するスピーカーボックス２８に取り付けられる構造が、斜め上面側からの断面図として描かれている。また、図２（ａ）はスロットマシン２０の正面図であり、図２（ｂ）はその側面図（一部が中央での断面図）である。なお、遊技機用スピーカー１、ないし、スロットマシン２０の説明に不要な内部構造等は、図示及び説明を省略する。
【００２３】
本実施例のスロットマシン２０は、リール２３ａ〜２３ｃやメダル処理器等が取り付けられる筐体の前面側に、閉じられたときに遊技者が対向する扉体２２を備えている。扉体２２を開放すると、スロットマシン２０のメンテナンスや、内部の部品組立が行える。扉体２２には、その他にリール窓２３と、メダル投入孔２４と、スイッチ２５と、表示器２６と、メダル放出孔２７と、スピーカーボックス２８が取り付けられていて、遊技者が操作する操作部が形成されている。また、操作部には、遊技の演出効果を高めて遊技者の操作を導くように、ＬＥＤ等の発光素子が、例えばスイッチ２５などに設けられている。
【００２４】
スロットマシン２０では、遊技時には、遊技者がメダル投入孔２４にメダルを投入してスタートボタン２５ｓを押すとリール２３ａ〜２３ｃが回転を始め、いずれかのストップボタン２５ｂを押すと対応するそれぞれのリール２３ａ〜２３ｃが回転を停止する。リール２３ａ〜２３ｃには複数のシンボルが印刷されており、リール２３ａ〜２３ｃが停止した時のシンボルの並びにより、（図示しない）メダル処理器からメダル放出孔２７を通じてメダルが排出される。遊技の制御は、ＣＰＵ、メモリ等を含む（図示しない）制御回路が行う。制御回路は、ＬＥＤ等の発光素子を発光させ、また、報知音等を再生する。
【００２５】
このスロットマシン２０では、操作部のスピーカーボックス２８は、扉体２２から遊技者側に略矩形状の筐体が突出するように形成されており、遊技者の手の掌が載せられるようになっている。したがって、遊技者は、掌を載せたスピーカーボックス２８からメダル投入孔２４およびスイッチ２５に手を伸ばすことができるようになっている。スピーカーボックス２８には、報知音等を再生する本実施例の左スピーカー１Ｌおよび右スピーカー１Ｒが、固定取付部２１に上向きに取り付けられている。
【００２６】
つまり、このスロットマシン２０の操作部には、報知音等を再生する本実施例の左スピーカー１Ｌおよび右スピーカー１Ｒが取り付けられているので、制御回路から出力される音声信号は、（図示しない）増幅回路で増幅されて、遊技者の前方近くの左右にそれぞれ配置される左スピーカー１Ｌと、右スピーカー１Ｒと、にそれぞれ供給される。したがって、本実施例のスロットマシン２０は、遊技者の前方の近傍から迫力感のある再生音を遊技者に提供することができるだけでなく、遊技音声を再生するスピーカーの振動板の振動を、遊技者の左右の掌に直接に伝えることができる。
【００２７】
図１を参照すると、本実施例の遊技機用スピーカー１は、スピーカー振動板２を有する動電型スピーカーである。スピーカー振動板２は、内周及び外周が円形のコーン振動板２ａと、コーン振動板２ａの凹面側に取り付けられる透光振動板２ｂと、ダストキャップ２ｄと、を含んで構成されている。
【００２８】
遊技機用スピーカー１において、スピーカー振動板２を形成するコーン振動板２ａは、パルプ材を抄紙および切断して形成した紙コーン振動板である。コーン振動板２ａの凹面側とは反対側の凸面側に、磁気回路１０が設けられることになる。また、エッジ３は、断面が凸状のロール形状を有するエッジであり、本実施例では、柔軟性を有する繊維の織布を基材として熱硬化性樹脂であるフェノール樹脂を含浸して加熱成形するものである。コーン振動板２ａは、エッジ３によってその外周端を支持され、エッジ３の外周端はフレーム６に固定されている。
【００２９】
また、コーン振動板２ａの凹面側には、透光性の樹脂材料で形成される透光振動板２ｂが取り付けられる。透光振動板２ｂは、図示するような略円筒形状の部材であり、その略円筒形の前面側の端面に円形のほぼ平面である被接触部２ｃを形成する。被接触部２ｃは、エッジ３よりも前面側に突出して露出することで遊技者の手が接触可能に配置される。透光振動板２ｂは、樹脂材料で形成されるので、遊技者の手が接触したとしても容易に変形または破損しない。透光振動板２ｂの略円筒形部分の側面は、後述する発光素子取付部材７が接触しないように、対応する部分が除かれている。コーン振動板２ａおよび透光振動板２ｂは、直接に連結するように構成されていてもよいが、本実施例のように、透光振動板２ｂの略円筒形部分の端面が、エッジ３の内径側固定部に取り付けられる構造になっていてもよい。
【００３０】
ダストキャップ２ｄは、パルプ材を抄紙および切断して形成した略ドーム状の部材であり、ボイスコイル４のボビン４ａの端部を覆うようにコーン振動板２ａに接着剤で取り付けられる。ダストキャップ２ｄは、円筒形の断面を有するボイスコイル４に対応する形状のダストキャップであってもよく、磁気回路１０の円形の磁気空隙に鉄粉等の塵芥が侵入するのを防止する。なお、ダストキャップ２ｄは、必ずしも設けなくてもよい。透光振動板２ｂが、磁気空隙に鉄粉等の塵芥が侵入するのを防止するダストキャップとして機能する。
【００３１】
ボイスコイル４は、円筒形に形成したボビン４ａと、その一端側に巻回されて音声電流が供給されるコイル４ｂと、から形成される。ボビン４ａは、その円筒外面側がスピーカー振動板２のコーン振動板２ａの内周端に接着剤により連結される。コイル４ｂは、後述する磁気回路１０の円形の磁気空隙に配置される。なお、（図示しない）錦糸線は、ボビン４ａの円筒外面側においてコイル４ｂの引出線とハンダづけされて、（図示しない）ターミナルに供給される音声電流をコイル４ｂに導通する。
【００３２】
ダンパー５は、柔軟性を有する繊維の織布を基材としてフェノール樹脂を含浸して成形する内形および外形が円形のコルゲーションダンパーである。ダンパー５の内周端は、ボビン４ａの円筒外面側と連結してスピーカー振動板２を含む振動系を支持する。ダンパー５の外周端側は、フレーム６の固定部に固定される。なお、ダンパー５は、他の形状のコルゲーションダンパーであってもよく、また、他の材料で形成するものであってもよく、内周側リングと外周側リングを連結するアームを有し、金属または樹脂で形成する蝶ダンパーであってもよい。ダンパーは、図示するダンパー５を２枚離して設けてもよい。
【００３３】
フレーム６は、樹脂フレームでもよいが、スピーカー振動板２のコーン振動板２ａの形状に対応したバスケット状に鉄を含む合金からなる鋼板をプレス成型した鉄板フレームである。スピーカー振動板２の外周端部に対応してエッジ３を固定する略円形の第１固定部と、スピーカー振動板２の内周端部に対応してダンパー５を固定する略円形の第２固定部と、第２固定部から延設されて磁気回路１０を固定する略円形の第３固定部と、第１固定部および第２固定部を連結する連結部と、この連結部にターミナルを取り付けるターミナル取付部と、を備える。したがって、スピーカー振動板２、エッジ３、ボイスコイル４、ダストキャップ２ｄ、および、ダンパー５からなるスピーカー振動系は、フレーム６に対して振動可能に支持される。
【００３４】
磁気回路１０は、フレーム６にカシメ加工で固定される円環形のトッププレート１１と、円筒形状であってトッププレート１１の中央に形成された円形孔に挿入されるセンターポールおよび平板状のアンダープレートを有するポール１２と、円環状のマグネット１３と、から構成される。トッププレート１１およびポール１２は、均等な幅を有する円形の磁気空隙を形成する。マグネット１３は、トッププレート１１およびポール１２のアンダープレートの間に狭持されるように接着される。磁気回路１０は、ボイスコイル４のコイル４ｂを平面視した場合に投影する領域の外部に磁石が配置される外磁型磁気回路である。本実施例のマグネット１３は、フェライト系磁石であり、残留磁化および保磁力がさらに大きく、小さい体積でも保磁力の強いＮｄ−Ｆｅ−Ｂ系の希土類磁石であってもよい。
【００３５】
遊技機用スピーカー１のボイスコイル４のコイル４ｂは、磁気回路１０の磁気空隙に配置される。したがって、遊技機用スピーカー１のボイスコイル４のコイル４ｂに音声電流が供給されると、磁気空隙に配置されたボイスコイル４には駆動力が作用し、ボイスコイル４は前後方向（図における上下方向）に振動し、連結されたスピーカー振動板２も前後方向に振動して、音波を放射する。
【００３６】
したがって、本実施例の遊技機用スピーカー１の場合には、パルプ材を抄紙および切断して形成した軽量の紙コーン振動板であるコーン振動板２ａと、遊技者が接触可能な透光振動板２ｂを備えて、これらが一体として振動するので、音声を再生するのみならず、遊技者が直接に触れて振動を伝えることができる。透光振動板２ｂは、樹脂材料で形成されるので、遊技者の手が接触したとしても容易に変形または破損しない。
【００３７】
フレーム６の第１固定部には、さらに発光素子取付部材７と、環状保護部材８が取り付けられて、遊技機用スピーカー１のフレームを構成する。発光素子取付部材７は、フレーム６の略円形の第１固定部に対応して円筒形状に樹脂で形成されたガスケット部７ａの内側に、この円筒形状の中心線を含むように梁状の発光素子取付部７ｂが設けられる。発光素子取付部７ｂの中央には、（図１では図示されていない）ＬＥＤ９が取り付けられている。ＬＥＤ９は、制御回路からの信号により発光してコーン振動板２ａの凹面側を照らす。
【００３８】
遊技機用スピーカー１のフレームを構成する環状保護部材８は、スピーカー振動板２の透光振動板２ｂと、フレーム６の第１固定部および発光素子取付部材７のガスケット部７ａとに対応して、樹脂で環状に形成される部材である。環状保護部材８は、透光振動板２ｂの被接触部２ｃの外周側周囲を環状に囲む環状保護部８ａを有し、環状保護部８ａの背面側がガスケット部７ａに連結している。また、環状保護部８ａには、スロットマシン２０の固定取付部２１に取り付ける被取付部としてのネジ孔８ｂが設けられている。なお、環状保護部８ａは、フレーム６の第１固定部に取り付けられていてもよい。
【００３９】
環状保護部８ａの表面８ｃは、被接触部２ｃを仮想的に外周方向に延長した面を含むようになっている。つまり、スロットマシン２０の遊技機用スピーカー１を含む操作部において、透光振動板２ｂの被接触部２ｃと、環状保護部８ａの表面８ｃとは、ほぼ面一の関係になっている。図１では、表面８ｃよりも被接触部２ｃが若干突出しているが、被接触部２ｃが表面８ｃと同一面を形成してもよく、また、表面８ｃよりも被接触部２ｃが若干沈んでいてもよい。
【００４０】
操作部のスピーカーボックス２８に取り付けられた遊技機用スピーカー１は、スピーカー振動板２の透光振動板２ｂの被接触部２ｃが、環状保護部材８とは接触しないで振動する。一方、振動しない環状保護部材８は、遊技者の掌が遊技機用スピーカー１の環状保護部材８の表面８ｃに載せられても、その中央部分の透光振動板２ｂの被接触部２ｃに側面側から力が加わることを防いで、遊技機用スピーカー１のスピーカー振動板２が破壊されないように保護することができる。
【００４１】
遊技機用スピーカー１では、スピーカー振動板２を覆いながらも通気する孔を形成してスピーカー振動板２を保護する前面パネル、または、前面グリルを、設ける必要が無い。この遊技機用スピーカー１は、遊技者が直接にスピーカー振動板２に触れることができるように意図されているので、遊技機用スピーカー１を備えるスロットマシン２０は、従来のスロットマシンよりも遊技時の演出効果を高めることができる。
【００４２】
また、遊技機用スピーカー１では、コーン振動板２ａと透光振動板２ｂとが囲むように規定する内部空間に発光素子取付部材７により配置されるＬＥＤ９が発光した光は、透光性の樹脂で形成されている被接触部２ｃを通じて遊技者に視認可能になる。スロットマシン２０では、遊技の制御を行う制御回路が、遊技機用スピーカー１が内蔵するＬＥＤ９を遊技状態に応じて発光させるので、遊技者に対する演出効果を高めることができる。
【００４３】
遊技機用スピーカー１のフレーム６には、音声信号が入力される（図示しない）ターミナルに加えて、ＬＥＤ９に供給する発光の信号が制御回路から入力される（図示しない）ターミナルを取り付けるターミナル取付部が設けられる。ＬＥＤ９に供給する発光の信号を入力するターミナルは、発光素子取付部材７に設けられていてもよい。
【００４４】
本実施例の遊技機用スピーカー１のフレームは、鉄板フレームであるフレーム６と、発光素子取付部材７と、さらに環状保護部材８と、から構成されているが、遊技機用スピーカー１は、少なくともフレーム６を備えていればよい。つまり、発光素子取付部材７および／または環状保護部材８は、スロットマシン２０の固定取付部２１の側に設けられていてもよく、遊技機用スピーカー１としては、スピーカー振動板２が、略コーン形状のコーン振動板２ａと、コーン振動板２ａの凹面側に取り付けられてエッジ３よりも前面側に突出することで遊技者の手が接触可能に配置される被接触部２ｃを形成する透光振動板２ｂと、を少なくとも含むものであればよい。その場合には、フレーム６にスロットマシン２０の固定取付部２１に取り付けられる被取付部を設ければよい。また、発光素子取付部材７は、磁気回路１０のセンターポールに取り付けられていてもよい。
【００４５】
もちろん、遊技機用スピーカー１は、発光素子取付部材７およびＬＥＤ９を備えていなくてもよい。その場合には、本実施例においてコーン振動板２ａの凹面側に取り付けられた透光振動板２ｂは、透光性ではない他の樹脂材料、または、金属材料で形成される振動板２ｂであって、遊技者の手が接触したとしても容易に変形または破損しないようなものであればよい。
【００４６】
図１のスロットマシン２０の遊技機用スピーカー１は、扉体２２から遊技者側に略矩形状の筐体が突出するように形成された操作部のスピーカーボックス２８に取り付けられているが、遊技機の形態に応じて、その操作部の遊技者の手が触れる所に透光振動板２ｂに相当する振動板を設けて、被接触部２ｃが露出するようにすればよい。例えば、遊技機がパチンコ機である場合には、送球を操作する操作ノブ部にこの遊技機用スピーカー１を設ければよい。操作部のスピーカーボックス２８は、スピーカー振動板２の背面側の音響容量を規定する空間が密閉されている密閉型ボックスであってもよく、また、ダクトを設ける位相反転（バスレフ）型ボックスであってもよい。操作部のスピーカーボックス２８がバスレフ型の場合には、ダクトを操作部の遊技者の手に向けて設けてもよい。
【００４７】
なお、本実施例の遊技機用スピーカーは、スピーカー振動板ないしフレームの外形が上記の円形である場合に限らず、トラック形、楕円形、長円形、長方形、矩形といった長径寸法と短径寸法との比が大きい細長形の遊技機用スピーカーであってもよい。
【産業上の利用可能性】
【００４８】
本発明の遊技機用スピーカーは、ゲーム機、パチンコ機、ないし、スロットマシン等の遊技機に内蔵するスピーカーとしてのみならず、スピーカーを内蔵する電子機器であって、使用者への告知を必要とする自動販売機、または、ＡＴＭ等にも適用が可能である。
【符号の説明】
【００４９】
１        遊技機用スピーカー
２        スピーカー振動板
２ａ      コーン振動板
２ｂ      透光振動板
２ｃ      被接触部
２ｄ      ダストキャップ
３        エッジ
４        ボイスコイル
５        ダンパー
６        フレーム
７        発光素子取付部材
８        環状保護部材
９        ＬＥＤ
１０      磁気回路
１１      トッププレート
１２      ポール
１３      マグネット
２０      スロットマシン
２１      固定取付部
２２      扉体
２３      リール窓
２４      メダル投入孔
２５      スイッチ
２６      表示器
２７      メダル放出孔
２８      スピーカーボックス
【図１】
2019005303.tif 000003
【図２】
2019005303.tif 000004